(57)【特許請求の範囲】
【請求項１】
細長い物品を収容するための収容口が開口した容器本体と、
上記容器本体の収容口を開閉するための蓋と、
上記容器本体における収容口の開口する面と交差する方向に延び、上記蓋を上記容器本体に回動可能に連結するための回動軸とを備え、
上記蓋を上記回動軸周りに回動させることによって上記収容口を開閉するように構成された蓋付き容器において、
上記容器本体は、上記細長い物品の形状に対応して細長い形状とされ、上記収容口が収容状態にある上記細長い物品の長手方向に長く延びる開口となるように形成されるとともに、上記細長い物品が上記収容口の長手方向に沿うように、かつ、収容状態における上記細長い物品の長手方向一側及び他側が上記容器本体の長手方向一側及び他側にそれぞれ配置されるように形成され、
上記蓋は、上記収容口を閉じた状態で該収容口の長手方向に延びるように形成され、
上記回動軸は、上記容器本体の内部に収容されており、該回動軸の容器本体側は、上記容器本体の周縁部において該容器本体の長手方向一側寄り、かつ、収容状態にある物品の側方に配置され、該回動軸の蓋側は、上記蓋の周縁部において該蓋の長手方向一側寄りに配置され、
上記蓋の回動範囲は、上記収容口を全開にする状態となる手前までの開放状態にあるときに上記収容口の長手方向一側を覆い、かつ、収容されている上記細長い物品の長手方向一側と上記蓋の縁部とが係合するように設定されていることを特徴とする蓋付き容器。
【請求項２】
請求項１に記載の蓋付き容器において、
上記容器本体及び上記蓋の一方には、上記回動軸を中心とする円弧状に延びる案内部が設けられ、
上記容器本体及び上記蓋の他方には、上記案内部によって上記回動軸の周方向に案内される被案内部が設けられていることを特徴とする蓋付き容器。
【請求項３】
請求項２に記載の蓋付き容器において、
上記案内部には、上記蓋が閉塞状態になったときに上記被案内部が蓋の開放方向に移動するのを抑制する開放側ストッパが設けられていることを特徴とする蓋付き容器。
【請求項４】
請求項２または３に記載の蓋付き容器において、
上記案内部には、上記蓋が開放状態になったときに上記被案内部が蓋の閉塞方向に移動するのを抑制する閉塞側ストッパが設けられていることを特徴とする蓋付き容器。
【請求項５】
請求項１から４のいずれか１つに記載の蓋付き容器において、
上記容器本体及び上記蓋には、該蓋が閉塞状態にあるときに互いに係合して該蓋が開放方向に回動するのを抑制する容器側係合部及び蓋側係合部がそれぞれ設けられ、
上記容器側係合部は上記容器本体の周壁部外面において上記回動軸の接線方向に延びる部位に配置され、
上記蓋側係合部は上記蓋の縁部において上記容器側係合部を覆うように配置されていることを特徴とする蓋付き容器。
【発明の詳細な説明】
【技術分野】
【０００１】
本発明は、例えば薬剤等を収容するための蓋付き容器に関するものである。
【背景技術】
【０００２】
従来から、例えば、特許文献１に開示されているように、蓋を回動させることによって開閉するように構成された蓋付き容器が知られている。特許文献１の容器は、上面が開放した筒状の容器本体と、容器本体の上端において外部に配設された上下方向に延びる回動軸とを備えており、この回動軸に蓋が取り付けられている。蓋を回動軸周りに回動させることによって、閉塞状態にしたり、開放状態にすることができる。
【先行技術文献】
【特許文献】
【０００３】
【特許文献１】特開２００９−６２０８４号公報
【発明の概要】
【発明が解決しようとする課題】
【０００４】
ところで、特許文献１の容器のように回動軸を容器本体の外部に配設すると、蓋が閉塞状態と開放状態のいずれにあっても回動軸が外部から見えることになり、外観デザイン上、好ましくない。
【０００５】
そこで、容器の内部に回動軸を設ける方法が考えられるが、回動軸を容器の内部に設けると物品を収容した際の邪魔になる恐れがあるとともに、容器への物品の収容のしやすさや、容器からの物品の取り出しやすさを阻害する恐れがある。
【０００６】
本発明は、かかる点に鑑みてなされたものであり、その目的とするところは、蓋を回動させる場合に、蓋の回動軸が外観デザインに影響を与えないように、かつ、収容する物品の邪魔にならないように、また、物品の収容時及び取り出し時の邪魔にもならないようにし、しかも、容器本体の開放面積を広く確保できるようにして高い利便性を得ることにある。
【課題を解決するための手段】
【０００７】
上記目的を達成するために、本発明では、回動軸を容器本体に収容して外観デザインに影響を与えないようにしながら、回動軸の容器本体側を容器本体の周縁部に配置するとともに、回動軸の蓋側を蓋の周縁部に配置した。
【０００８】
第１の発明は、細長い物品を収容するための収容口が開口した容器本体と、上記容器本体の収容口を開閉するための蓋と、上記容器本体における収容口の開口する面と交差する方向に延び、上記蓋を上記容器本体に回動可能に連結するための回動軸とを備え、上記蓋を上記回動軸周りに回動させることによって上記収容口を開閉するように構成された蓋付き容器において、上記容器本体は、上記細長い物品の形状に対応して細長い形状とされ、上記収容口が収容状態にある上記細長い物品の長手方向に長く延びる開口となるように形成されるとともに、上記細長い物品が上記収容口の長手方向に沿うように、かつ、収容状態における上記細長い物品の長手方向一側及び他側が上記容器本体の長手方向一側及び他側にそれぞれ配置されるように形成され、上記蓋は、上記収容口を閉じた状態で該収容口の長手方向に延びるように形成され、上記回動軸は、上記容器本体の内部に収容されており、該回動軸の容器本体側は、上記容器本体の周縁部において該容器本体の長手方向一側寄り、かつ、収容状態にある物品の側方に配置され、該回動軸の蓋側は、上記蓋の周縁部において該蓋の長手方向一側寄りに配置され、上記蓋の回動範囲は、上記収容口を全開にする状態となる手前までの開放状態にあるときに上記収容口の長手方向一側を覆い、かつ、収容されている上記細長い物品の長手方向一側と上記蓋の縁部とが係合するように設定されていることを特徴とするものである。
【０００９】
この構成によれば、回動軸が容器本体の周縁部に収容されることになるので、蓋を閉塞状態にしたときには、回動軸が蓋により覆われて外部に露出しなくなり、また、蓋を開放状態にしたときにも、外部からは見えにくくなる。よって、回動軸が外観デザインに影響を与えなくなる。
【００１０】
また、回動軸は、その両側がそれぞれ容器本体の周縁部及び蓋の周縁部に配置されているので、蓋を回動軸周りに開放方向に回動させた際、蓋を容器本体の収容口の大部分から外れるように位置付けることが可能になり、開口面積が広くなる。
【００１１】
そのように回動軸の両側をそれぞれ容器本体の周縁部及び蓋の周縁部に配置することで、回動軸が物品の邪魔になり難く、また、物品を容器へ収容する際や、容器から物品を取り出す際にも回動軸が邪魔になり難い。
【００１２】
また、例えば蓋が不意に開放状態となることがあり、この場合に、蓋の縁部と収容されている物品とが係合することになるので、物品が収容口から出てしまうのが蓋によって抑制される。
【００１３】
第２の発明は、第１の発明において、上記容器本体及び上記蓋の一方には、上記回動軸を中心とする円弧状に延びる案内部が設けられ、上記容器本体及び上記蓋の他方には、上記案内部によって上記回動軸の周方向に案内される被案内部が設けられていることを特徴とするものである。
【００１４】
この構成によれば、蓋を回動軸周りに回動させる際、被案内部が案内部によって回動軸周りに案内されることになるので、蓋の開閉動作がスムーズになる。
【００１５】
第３の発明は、第２の発明において、上記案内部には、上記蓋が閉塞状態になったときに上記被案内部が蓋の開放方向に移動するのを抑制する開放側ストッパが設けられていることを特徴とするものである。
【００１６】
この構成によれば、蓋が閉塞状態にあるときには、案内部が被案内部の開放側ストッパによって開放方向に移動するのが抑制される。
【００１７】
第４の発明は、第２または３の発明において、上記案内部には、上記蓋が開放状態になったときに上記被案内部が蓋の閉塞方向に移動するのを抑制する閉塞側ストッパが設けられていることを特徴とするものである。
【００１８】
この構成によれば、蓋が開放状態にあるときには、案内部が被案内部の閉塞側ストッパによって閉塞方向に移動するのが抑制される。
【００１９】
第５の発明は、第１から４のいずれか１つの発明において、上記容器本体及び上記蓋には、該蓋が閉塞状態にあるときに互いに係合して該蓋が開放方向に回動するのを抑制する容器側係合部及び蓋側係合部がそれぞれ設けられ、上記容器側係合部は上記容器本体の周壁部外面において上記回動軸の接線方向に延びる部位に配置され、上記蓋側係合部は上記蓋の縁部において上記容器側係合部を覆うように配置されていることを特徴とするものである。
【００２０】
この構成によれば、容器側係合部が回動軸の接線方向に延びる部位に設けられているので、開放位置にある蓋を閉塞方向に回動させて蓋側係合部を回動軸の周方向に移動させるだけで容器側係合部に係合させることが可能になる。
【００２１】
反対に、閉塞状態にある蓋を開放状態にする場合には、蓋を開放方向に回動させて蓋側係合部を回動軸の周方向に移動させるだけで容器側係合部から離脱させることが可能になる。
【発明の効果】
【００２２】
第１の発明によれば、回動軸を容器本体の内部に収容したので、回動軸が外観デザインに影響を与えないようにすることができる。そして、回動軸の両側をそれぞれ容器本体の周縁部及び蓋の周縁部に配置したので、回動軸が物品の邪魔にならず、しかも、容器本体の収容口を広く開放させることができ、高い利便性を得ることができる。
【００２３】
また、蓋が開放状態にあるときに収容口の長手方向一側を覆って物品と蓋の縁部とが係合するようになっているので、蓋が不意に開放状態となったときに物品が収容口から出てしまうのを抑制できる。
【００２４】
第２の発明によれば、容器本体及び蓋の一方には回動軸周りに延びる案内部を設け、他方には案内部によって案内される被案内部を設けたので、蓋の開閉動作をスムーズにすることができ、開閉時の操作性を良好にすることができる。
【００２５】
第３の発明によれば、案内部に開放側ストッパを設けたので、閉塞状態にある蓋が不意に回動するのを抑制することができる。
【００２６】
第４の発明によれば、案内部に閉塞側ストッパを設けたので、開放状態にある蓋が不意に回動するのを抑制することができる。
【００２７】
第５の発明によれば、容器における回動軸の接線方向に延びる部位に容器側係合部を設け、この容器側係合部に係合する蓋側係合部で該容器側係合部を覆うようにしたので、蓋を無理に変形させることなく回動させるだけで、両係合部を係合させたり、離脱させることができ、開閉時の操作性を良好にすることができる。
【図面の簡単な説明】
【００２８】
【図１】本発明の実施形態にかかる蓋付き容器の蓋が閉塞状態にある場合の平面図である。
【図２】蓋が開放状態にある場合の図１相当図である。
【図３】容器の正面図である。
【図４】容器の背面図である。
【図５】容器の左側面図である。
【図６】容器の右側面図である。
【図７】容器の底面図である。
【図８】容器本体の斜視図である。
【図９】容器本体の平面図である。
【図１０】図１のX−X線断面図である。
【図１１】蓋の底面図である。
【図１２】蓋の背面図である。
【図１３】蓋の左側面図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
図１は、本発明の実施形態にかかる蓋付き容器１の平面図である。この容器１は、例えば、薬剤の入ったチューブや、綿棒等の細長い物品を収容するのに適したものであるが、物品の種類や数量等は特に限定されない。
【００３１】
容器１は、図２〜図７にも示すように、収容する物品が細長い場合に適するように、所定方向に長い形状とされている。容器１は、図８に示すように、凹状の容器本体１０と、該容器本体１０の上面に形成された収容口１１を開閉するための板状の蓋３０（図２等に示す）と、蓋３０を回動させることによって閉塞状態と開放状態とに切り替えるための回動軸４０とを備えている。容器１、蓋３０及び回動軸４０は樹脂材からなるものであり、蓋３０と回動軸４０は一体成形されている。
【００３２】
容器本体１０の収容口１１は、物品の細長い形状に対応して所定方向に長く形成されている。図８及び図９に示すように、容器本体１０の底壁部１２は、楕円に近い形状とされている。底壁部１２の長手方向に延びる一対の縁部のうち、一方の縁部１２ａ（図８にのみ示す）は、その長手方向の両側が容器本体１０の外側へ向けて湾曲するように延びている。
【００３３】
容器本体１０の周壁部１３は、底壁部１２の全周から立ち上がるように該底壁部１２と一体成形されている。周壁部１３は、底壁部１２の縁部に沿って周方向に延びており、容器本体１０の長手方向に延びる一対の壁部のうち、一方の壁部の長手方向両側には、容器本体１０の外側へ向けて膨出する一側膨出部１３ａ及び他側膨出部１３ｂが形成されている。この周壁部１３の上縁部によって容器本体１０の上面全体に亘って開口する上記収容口１１が形成されている。従って、容器本体１０には、図２に示すように、容器本体１０の長手方向に延びる物品が、その長手方向が収容口１１の長手方向に沿うように収容可能となる。
【００３４】
図１０に示すように、底壁部１２は、外縁部に近づくほど上に位置するように外周側が湾曲している。また、図８に示すように、周壁部１３も湾曲している。そして、底壁部１２と周壁部１３とは滑らかに連続している。これにより、容器本体１０は全体としてやわらかなラウンドフォルムとなっている。
【００３５】
容器本体１０の内部には、該容器本体１０の長手方向に延びる仕切板部１４が設けられている。仕切板部１４は、底壁部１２の内面から上方へ突出しており、該底壁部１２と一体成形されている。また、仕切板部１４は、容器本体１０の幅方向中央部近傍に位置しており、この仕切板部１４によって容器本体１０の内部が幅方向に２つに仕切られている。
【００３６】
仕切板部１４の高さは周壁部１３と略同じに設定されている。仕切板部１４の長手方向一側は、周壁部１３の長手方向一側の内面に連なっている。仕切板部１４の長手方向他側は、底壁部１２の長手方向中央部よりも他側寄りに位置しており、周壁部１３からは離れている。また、仕切板部１４の他側は、端部に近づくほど底壁部１２からの突出高さが低くなっている。
【００３７】
底壁部１２の中央部には、上方へ延びる小径円柱部１５が設けられている。この小径円柱部１５は上記仕切板部１４の長手方向中途部と一体化している。小径円柱部１５の外径寸法は、仕切板部１４の厚み寸法よりも長く設定されている。
【００３８】
底壁部１２の長手方向一側寄りの部位には、上方へ延びる大径円柱部（被案内部）１６が設けられている。この大径円柱部１６は、小径円柱部１５よりも大径とされており、上記仕切板部１４の長手方向一側と一体化している。大径円柱部１６の上端は、周壁部１３及び仕切板部１４よりも上方へ突出している。
【００３９】
また、容器本体１０の内部には、回動軸４０を挿入する軸受筒２０が上下方向に延びるように設けられている。軸受筒２０は、大部分が一側膨出部１３ａ内、即ち、容器本体１０の周縁部に位置付けられており、底壁部１２及び周壁部１３と一体成形されている。軸受筒２０は底壁部１２を貫通している。
【００４０】
図３にも示すように、容器本体１０の外面には、軸受筒２０に対応して上方へ窪む凹部２５が形成されている。この凹部２５の内面２５ａ（図７に示す）は、軸受筒２０の中心線に対し直交する方向に延びており、この内面２５ａに軸受筒２０の下端が開口している。
【００４１】
図８に示すように、底壁部１２の一側膨出部１３ａ近傍には、リブ２１が設けられている。リブ２１は、容器本体１０の長手方向に延びており、両端部が周壁部１３の一側膨出部１３ａ近傍の内面に連なっている。また、リブ２１の長手方向中間部は軸受筒２０の外周面と一体化している。このリブ２１により、容器本体１０の内部空間が一側膨出部１３ａ内とそれ以外の部分とに区画されることになる。
【００４２】
図６や図７にも示すように、容器本体１０の長手方向一側には、ストラップ取付孔２２が形成されている。ストラップ取付孔２２は、図示しないストラップを通して容器本体１０に結びつけるためのものであり、上下方向に延び、周壁部１３外面の上側及び底壁部１２の外周部にそれぞれ開口している。図８に示すように、底壁部１２及び周壁部１３におけるストラップ取付孔２２が形成された部位は、容器本体１０の内側へ膨出している。また、このストラップ取付孔２２は、仕切板部１４とリブ２１との間に位置している。
【００４３】
さらに、容器本体１０の周壁部１３には、容器側係合部２３が設けられている。この容器側係合部２３は、容器本体１０の長手方向他側に位置付けられている。すなわち、周壁部１３外面における容器本体１０の長手方向他側の部位は、軸受筒２０の中心線（図９にのみ符号Ａで示す）の接線方向（同図に矢印Ｂで示す）、即ち回動軸４０の接線方向に延びる係合部形成面１３ｃで構成されており、この係合部形成面１３ｃに上記容器側係合部２３が設けられている。
【００４４】
容器側係合部２３は、係合部形成面１３ｃから容器本体１０外方へ向かって突出し、該係合部形成面１３ｃに沿って回動軸４０の接線方向に延びる突条部２３ａと、突条部２３ａの端部から容器本体１０外方へ向かって突出する爪部２３ｂとを有している。図１０に示すように、突条部２３ａにおける周壁部１３基端側の係合面２３ｃは、容器本体１０の外方へ向けて延びている。
【００４５】
次に、蓋３０の構造について説明する。
【００４６】
図１に示すように、蓋３０は、平面視で容器本体１０の底壁部１２と略相似な形状とされており、収容口１１の全体を覆うことができるようになっている。図１２に示すように、蓋３０は、外周部が下に向けて湾曲している。
【００４７】
図１及び図１０に示すように、蓋３０の外面には、ミラー３１が設けられている。すなわち、蓋３０の外面における中央部には、蓋３０の外形と略相似なミラー配設用凹部３０ａが形成されている。このミラー配設用凹部３０ａの形状と略同形状のミラー３１がミラー配設用凹部３０ａに収容された状態で固定されている。
【００４８】
また、蓋３０の外面における長手方向他端部近傍には、蓋３０の開放方向を示すための目印部３０ｂが設けられている。この実施形態では、目印部３０ｂは矢印としている。
【００４９】
一方、図１１に示すように、蓋３０の内面には、ミラー配設用凹部３０ａの外形状に沿うように延びる環状リブ３２と、環状リブ３２から放射状に延びるリブ３３，３３，…とが設けられている。
【００５０】
蓋３０の内面には、上下方向に延びる回動軸４０が該蓋３０と一体成形されている。回動軸４０は、上記容器本体１０の軸受筒２０の配設位置に対応しており、従って、蓋３０の周縁部において長手方向一側寄りに配置されている。
【００５１】
回動軸４０は筒状となっており、下端面は開放されている。図１１及び図１３に示すように、回動軸４０の周壁部には、先端から基端近傍に亘る２つの切欠部４０ａ，４０ａが周方向に互いに間隔をあけて形成されている。これら切欠部４０ａ，４０ａの形成によって回動軸４０が２つの軸構成部４０ｂ，４０ｂ（図１３参照）に分割されることになる。これら軸構成部４０ｂ，４０ｂは回動軸４０の径方向に弾性変形可能となっている。また、各軸構成部４０ｂの先端部には、回動軸４０の径方向へ突出する突部４０ｃが形成されている。突部４０ｃは、軸受筒２０の内径よりも大きく突出しており、図７に示すように、回動軸４０が軸受筒２０に挿入された状態で、突部４０ｃ，４０ｃが凹部２５の内面２５ａに下側から当接して係合し、回動軸４０の軸受筒２０からの抜けが阻止されるようになっている。
【００５２】
図１１に示すように、蓋３０の内面には、回動軸４０を中心とした円弧状に延びるレール（案内部）３４，３４が設けられている。レール３４，３４の間に容器本体１０の大径円柱部１６（仮想線で示す）が挿入されるようになっている。
【００５３】
レール３４，３４は、蓋３０の内面から下方へ突出する突条部で構成されており、両端部は蓋３０の周縁部に位置している。レール３４，３４の間隔は、容器本体１０の大径円柱部１６の外径よりも若干広めに設定されており、円柱部１６がレール３４，３４の間を該レール３４，３４に沿って移動するようになっている。つまり、大径円柱部１６は、レール３４，３４によって案内される。
【００５４】
レール３４，３４の間には、蓋３０が開放状態となったときに大径円柱部１６が当接する第１板状ストッパ３５と、蓋３０が閉塞状態となったときに大径円柱部１６が当接する第２板状ストッパ３６とが形成されている。これら第１及び第２板状ストッパ３５，３６は、一方のレール３４の内面と他方のレール３４の内面とを繋ぐように回動軸４０の径方向に延びている。
【００５５】
また、レール３４，３４の第１板状ストッパ３５よりも第２板状ストッパ３６側の内面には、凸状閉塞側ストッパ３７，３７が形成されている。凸状閉塞側ストッパ３７，３７のレール３４からの突出量は小さく設定されており、大径円柱部１６が凸状閉塞側ストッパ３７，３７を乗り越えることができるようになっている。凸状閉塞側ストッパ３７，３７は、第１板状ストッパ３５に大径円柱部１６が当接した状態で、大径円柱部１６に対し第１板状ストッパ３５とは反対側から当接して閉塞方向に移動するのを抑制するように機能する。凸状閉塞側ストッパ３７，３７は、本発明の閉塞側ストッパである。
【００５６】
さらに、レール３４，３４の第２板状ストッパ３６よりも第１ストッパ３５側の内面には、凸状開放側ストッパ３８，３８が形成されている。凸状開放側ストッパ３８，３８のレール３４からの突出量は上記凸状閉塞側ストッパ３７，３７と同様に設定されている。凸状開放側ストッパ３８，３８は、第２板状ストッパ３６に大径円柱部１６が当接した状態で、大径円柱部１６に対し第２板状ストッパ３６とは反対側から当接して開放方向に移動するのを抑制するように機能する。凸状開放側ストッパ３８，３８は、本発明の開放側ストッパである。
【００５７】
蓋３０の回動範囲は、上述のように第１板状ストッパ３５及び第２板状ストッパ３６の位置によって任意に設定することが可能である。この実施形態では、蓋３０の回動範囲は、図２に示す開放状態にあるときに収容口１１を全開することなく、該収容口１１の長手方向一側を覆い、かつ、収容されている物品と蓋３０の縁部とが係合するように設定されている。すなわち、開放状態にしたときには、蓋３０の長手方向と容器本体１０の長手方向とが平面視で略直交する方向となるようにしており、これにより、例えば容器１をその収容口１１が下になるように向けたときに、物品の端部を、容器本体１０の底壁部１２と蓋３０の縁部とによって上下両側から支えることが可能になる。
【００５８】
蓋３０の周縁部における長手方向他端部には、上記容器側係合部２３に係合する蓋側係合部３９が設けられている。図１２や図１３にも示すように、蓋側係合部３９は、蓋３０の裏側へ向かって突出し、かつ、蓋３０の周縁部に沿って延びる板状に形成されている。また、図１２に示すように、蓋側係合部３９は上下方向の中央部が最も外側に位置するように湾曲している。
【００５９】
蓋側係合部３９の内面は、容器側係合部２３の突条部２３ａに沿うように回動軸４０の接線方向に延びている。図１０に示すように、蓋側係合部３９の内面には、容器側係合部２３の爪部２３ｂが嵌入する凹部３９ａが形成されている。また、蓋側係合部３９の内面には、突条部２３ａの係合面２３ｃが嵌る段部３９ｂが形成されている。
【００６０】
上記のように構成された蓋付き容器１を組み立てる際には、回動軸４０を容器本体１０の軸受筒２０に挿入する。このとき、回動軸４０の突部４０ｃ，４０ｃが軸受筒２０の内面に摺接して軸構成部４０ｂ，４０ｂが径方向内方に弾性変形し、これによって回動軸４０の挿入が許容される。回動軸４０が軸受筒２０に完全に挿入されると突部４０ｃ，４０ｃが軸受筒２０の下端から外方へ突出して軸構成部４０ｂ，４０ｂが復元する。これにより、突部４０ｃ，４０ｃが凹部２５の内面２５ａに下側から当接し、回動軸４０の軸受筒２０内での回動を許容しながら、軸受筒２０からの抜けが阻止される。
【００６１】
次に、上記のように構成された蓋付き容器１の使用要領について説明する。図２に示す開放状態の蓋３０を図１に示す閉塞状態にする場合には、蓋３０に対して閉塞方向に力を加えて蓋３０を回動軸４０周りに回動させていく。蓋３０の蓋側係合部３９が容器本体１０の係合部形成面１３ｃに達すると、蓋側係合部３９の内面が係合部形成面１３ｃに沿うように延びているので、回動軸４０周りに回動させるだけで、蓋３０の弾性変形を伴いながら蓋側係合部３９が突条部２３ａを覆うように位置する。これにより、図１０に示すように、蓋側係合部３９の凹部３９ａに容器側係合部２３の爪部２３ｂが嵌入して蓋３０の回動が抑制され、また、突条部２３ａの係合面２３ｃが段部３９ｂに嵌ることで蓋３０が容器本体１０から上方へ離れるのが阻止される。
【００６２】
また、蓋３０を閉塞状態にする際、大径円柱部１６がレール３４，３４によって案内されるので、蓋３０の回動動作がスムーズに行われる。さらに、蓋３０が閉塞位置に達すると、図１１に仮想線で示すように、大径円柱部１６が第２板状ストッパ３６に当接してそれ以上の回動が阻止され、また、凸状開放側ストッパ３８，３８が大径円柱部１６に当接する。このことによっても、蓋３０が閉塞位置で保持される。
【００６３】
尚、閉塞位置となるまで回動させる際、大径円柱部１６が凸状開放側ストッパ３８，３８を乗り越えることになるが、この凸状開放側ストッパ３８，３８の突出高さは低いのでそれほど大きな力は必要ない。
【００６４】
閉塞状態でストラップ取付孔２２に取り付けたストラップにより容器１を吊すと、回動軸４０が上に位置し、容器側係合部２３及び蓋側係合部３９が下に位置することになる。このため、蓋３０は重力の影響によって開放方向（上方向）には回動しにくくなる。よって、容器１を吊した状態で蓋３０が不意に開放してしまうのが抑制される。
【００６５】
一方、図１１に示すように、閉塞状態の蓋３０を図２に示すように開放状態にする場合には、蓋３０に対して開放方向に力を加える。このとき、容器１の使用者は、蓋３０に開放方向を示す目印部３０ｂがあるので、開放方向を容易に把握でき、開放方向と反対側へ力を加えてしまうのを防止できる。
【００６６】
蓋３０に対し開放方向へ力を加えると、蓋３０の弾性変形によって蓋側係合部３９の凹部３９ａに嵌入している容器側係合部２３の爪部２３ｂが該凹部３９ａから離脱するとともに、蓋側係合部３９が容器側係合部２３の突条部２３ａに沿って開放側へ移動していく。このとき、突条部２３ａが蓋３０の回動中心である回動軸４０の接線方向に延びているので、蓋３０を無理にこじったり、変形させなくても、蓋側係合部３９が自然に移動して蓋３０が開放状態となる。
【００６７】
蓋３０を開放方向へ回動させていくと、大径円柱部１６がレール３４，３４により案内されるのでスムーズに回動していく。大径円柱部１６が凸状閉塞側ストッパ３７，３７を乗り越え、第１板状ストッパ３５に当接すると、それ以上の開放方向への回動が阻止され、また、凸状閉塞側ストッパ３７，３７が大径円柱部１６に当接する。このことにより、蓋３０が開放位置で保持される。
【００６８】
このとき、回動軸４０を容器本体１０の周縁部及び蓋３０の周縁部に位置付けているので、蓋３０を大きく移動させて収容口１１を大きく開くことが可能になる。これにより、物品の出し入れが容易に行える。また、回動軸４０が容器本体１０の膨出した周縁部にあることから、収容した物品の邪魔になりにくく、物品の出し入れ時の邪魔にもなりにくい。
【００６９】
蓋３０が開放状態になったとき、収容されている物品と蓋３０の縁部とが係合するように蓋３０の回動範囲が設定されているので、容器１の収容口１１を下に向けても、物品の端部を、容器本体１０の底壁部１２と蓋３０の縁部とによって上下両側から支えることができ、物品が容器１から出てしまうのを抑制することができる。
【００７０】
以上説明したように、この実施形態にかかる蓋付き容器１によれば、回動軸４０を容器本体１０の内部に収容したので、回動軸４０が外観デザインに影響を与えないようにすることができる。
【００７１】
そして、回動軸４０の上下両側をそれぞれ容器本体１０の周縁部及び蓋３０の周縁部に配置したので、回動軸４０が物品の邪魔にならず、しかも、容器本体１０の収容口１１を広く開放させることができ、高い利便性を得ることができる。
【００７２】
また、蓋３０には回動軸４０周りに延びるレール３４，３４を設け、容器本体１０にはレール３４，３４によって案内される大径円柱部１６を設けたので、蓋３０の開閉動作をスムーズにすることができ、開閉時の操作性を良好にすることができる。
【００７３】
また、レール３４，３４に凸状開放側ストッパ３８，３８を設けたので、閉塞状態にある蓋３０が不意に回動するのを防止することができる。
【００７４】
また、レール３４，３４に凸状閉塞側ストッパ３７，３７を設けたので、開放状態にある蓋３０が不意に回動するのを防止することができる。
【００７５】
また、容器１における回動軸４０の接線方向に延びる係合部形成面１３ｃに容器側係合部２３を設け、この容器側係合部２３に係合する蓋側係合部３９を、容器側係合部２３を覆うように設けたので、蓋３０を回動させるだけで両係合部２３，３９を係合させたり、離脱させることができ、開閉時の操作性を良好にすることができる。
【００７６】
また、蓋３０が開放状態にあるときに収容口１１の長手方向一側を覆って物品と蓋３０の縁部とが係合するようになっているので、蓋３０が不意に開放状態となったときに物品が収容口１１から出てしまうのを抑制できる。
【００７７】
尚、上記実施形態では、レール３４，３４を蓋３０に設けているが、これに限らず、容器本体１０にレールを設け、蓋３０にレールに係合する突部（被案内部）を設けてもよい。
【産業上の利用可能性】
【００７８】
以上説明したように、本発明にかかる蓋付き容器は、蓋を回動させて開閉する場合に適用できる。
【符号の説明】
【００７９】
１        蓋付き容器
１０      容器本体
１１      収容口
１６      大径円柱部（被案内部）
２３      容器側係合部
３０      蓋
３４      レール（案内部）
３７      凸状閉塞側ストッパ
３８      凸状開放側ストッパ
３９      蓋側係合部
４０      回動軸
【図１】
0005781895.tif 000002
【図２】
0005781895.tif 000003
【図３】
0005781895.tif 000004
【図４】
0005781895.tif 000005
【図５】
0005781895.tif 000006
【図６】
0005781895.tif 000007
【図７】
0005781895.tif 000008
【図８】
0005781895.tif 000009
【図９】
0005781895.tif 000010
【図１０】
0005781895.tif 000011
【図１１】
0005781895.tif 000012
【図１２】
0005781895.tif 000013
【図１３】
0005781895.tif 000014